(57)【要約】【課題】  戻止め係合リング２を形成する差込み部材３を受入れるための受容部材１と、二つのアーム１１、１２および戻止め保持部分１４を有する確保部材１０とを具備し、確保部材１０は受容部材１の受入れ空間７へ差込み可能であり、かつ取外し位置と嵌込み位置との間で移動可能である継手において、高度な組立て安全性を有する継手を提供すること。【解決手段】  確保部材１０が嵌込み位置から取外し位置へ移動できるように、差込み部材３の戻止め係合リング２と協同作用する取外し走行斜面部１６が確保部材１０に形成される。更に、導入方向で見て取外し走行斜面部１６の後ろへ戻止め係合リング２を導入する際、予備確保機構１５が戻止め係合リング２に噛合い、戻り走行機構１８、１９、２２、２３が確保部材１０を予備係合位置へ移動するように協同作用する予備確保機構１５および戻り走行機構１８、１９、２２、２３が具備される。【選択図】  図３
2008509360.tif 000002
【特許請求の範囲】
【請求項１】
戻止め係合リング２が形成された差込み部材を受入れるための受容部材と、二つのアームおよび戻止め保持部分を有する確保部材とを具備し、確保部材は受容部材の受入れ空間へ差込み可能であり、差込み部材の差込み方向に対し直交方向に取外し位置と嵌込み位置との間で移動可能である継手において、
確保部材１０が嵌込み位置から取外し位置へ移動できるように、差込み部材３の戻止め係合リング２と協同作用する取外し走行斜面部１６が確保部材１０に形成されること、および
差込み方向において取外し走行斜面部１６の後ろへ戻止め係合リング２を導入する際、予備確保機構１５が戻止め係合リング２に噛合い、戻り走行機構１８、１９、２２、２３が確保部材１０を嵌込み位置と取外し位置との間に置かれる予備係合位置へ移動するように協同作用する予備確保機構１５および戻り走行機構１８、１９、２２、２３が具備されることを特徴とする継手。
【請求項２】
請求項１に記載の継手であって、予備確保機構１５は受入れ空間７へ突出する突起部１５であり、取外し走行斜面部１６は該突起部１５に形成されることを特徴とする継手。
【請求項３】
請求項１または２に記載の継手であって、戻り走行機構１８、１９、２２、２３は確保部材１０に形成される戻り走行斜面部１８、１９、および受容部材１に形成され、確保部材１０が予備係合位置から取外し位置へ移動するのに対抗する力を発生するために協同作用する対向斜面２２、２３を備えることを特徴とする継手。
【請求項４】
請求項１、２及び３のいずれかに記載の継手であって、確保部材１０は係合段付突起部２０、２１を備え、受容部材１には係合突起部２４、２５が形成され、係合段付突起部２０、２１は予備係合位置および嵌込み位置でそれぞれ係合段付（ノッチ付）突起部２０、２１の一方の側に当接して配置されることを特徴とする継手。
【発明の詳細な説明】
【技術分野】
【０００１】
本発明は、特許請求項１の上位概念に記載の継手（連結装置ないしカップリング）に係るものである。即ち、本発明は戻止め係合リング２が形成された差込み部材を受入れるための受容部材と、二つのアームおよび戻止め保持部分を有する確保部材とを具備し、確保部材は受容部材の受入れ空間へ差込み可能であり、差込み部材の差込み方向に対し直交方向に取外し位置と嵌込み位置との間で移動可能である継手に関する。
【背景技術】
【０００２】
この種の継手はドイツ国出願ＤＥ  １９９  ４６  ２６０  Ｃ１［特許文献１］によって既知である。この既知の継手は、戻止め係合リングを形成する差込み部材を受入れるための受容部材を具備する。更には、二つのアームおよび戻止め保持部分を有する確保部材が具備され、確保部材は受容部材の受容空間へ差込み可能であり、差込み部材の差込み方向に直角に取外し位置と嵌込み位置との間で移動可能である。これによって、戻止め保持部分による戻止め係合リングの噛合いにより、嵌込み位置へ確保部材を配置する際、差込み部材が受容部材から不測に脱落することに対して安全確保される。
【特許文献１】ＤＥ  １９９  ４６  ２６０  Ｃ１
【発明の開示】
【発明が解決しようとする課題】
【０００３】
しかし、差込み部材がキチンと安全確保されずに確保部材が嵌込み位置にあることも生じうる。本発明は、高度な組立て安全性を有する冒頭に述べた種の継手を提供することを、その課題とするものである。
【課題を解決するための手段】
【０００４】
この課題は、特許請求項１に記載された特徴事項を有する冒頭で述べた種の継手によって本発明により解決される。即ち、本発明は確保部材が嵌込み位置から取外し位置へ移動できるように、差込み部材の戻止め係合リングと協同作用する取外し走行斜面部が確保部材に形成されること、および差込み方向において取外し走行斜面部の後ろへ戻止め係合リングを導入する際、予備確保機構１５が戻止め係合リングに噛合い、戻り走行機構が確保部材を嵌込み位置と取外し位置との間に置かれる予備係合位置へ移動するように協同作用する予備確保機構および戻り走行機構が具備されることを特徴とする。
【発明の効果】
【０００５】
本発明による継手で、差込み部材を差込む際、取外し走行斜面部と差込み部材の戻止め係合リングとの協同作用により、確保部材は嵌込み位置から取外し位置へ移動し、そして本発明による継手内で差込み部材がキチンと配置される際、確保部材は、戻り走行機構により、確保部材を嵌込み位置へ移送するための差込み部材の安全確保のために、予備確保機構（Vorsicherungsanordnung）が戻止め係合リングに噛合う予備係合位置へ移送されること、さもなければ、取外し位置から嵌込み位置へ確保部材が移動される際、取外し走行斜面部が戻止め係合リングへ作用することによって差込み部材は再び排除される、ということによって、特に本発明による継手に短い時間タクトで差込み部材を連結していくコンベア（流れ）作業で意義の大きい、信頼性のある組立て作業が達成される。
【０００６】
更なる本発明の目的に沿った構成は従属請求項の要件に示される。
即ち、予備確保機構は受入れ空間へ突出する突起部であり、取外し走行斜面部は該突起部に形成されることを特徴とする。
戻り走行機構は確保部材に形成される戻り走行斜面部および受容部材に形成され、確保部材が予備係合位置から取外し位置へ移動するのに対抗する力を発生するために協同作用する対向斜面を備えることを特徴とする。
確保部材は係合段付突起部を備え、受容部材には係合突起部が形成され、係合段付突起部は予備係合位置および嵌込み位置でそれぞれ係合段付（ノッチ付）突起部の一方の側に当接して配置されることを特徴とする。
【０００７】
図を参照として、本発明の好ましい実施態様が以下に詳細され、それにより更なる目的に沿った構成及び利点が明確となる。
【発明を実施するための最良の形態】
【０００８】
図１は、本発明による継手の一実施態様を、部分切開による斜視図で示す。図１における継手は、図１に示されない液体チューブシステムのチューブの端部と連結（結合）可能な受容部材１を具備する。戻止め係合リング２を形成した差込み部材３を本発明による継手へ密着して（シール下に）連結するために、受容部材１の受入れ空間７に、第一シールリング４、第二シールリング５および両シールリング４間に配置される中間リング６が備えられる。第二シールリング５の差込み側８の面に隣合って配置されるスペースリング９は、受入れ空間７の反差込み側８の面と本発明による継手の確保部材１０との間で、スペース［シール］リング４、５および中間リング６の保持に供する。
【０００９】
確保部材１０は、受容部材１において、図1に示された嵌込み位置と取外し位置（離脱位置）との間で移動（摺動）可能であり、相互に対向して配置され、内側の部分が受入れ空間７内へ突出する第一アーム１１および第二アーム１２とを備える。更には両アーム１１、１２の間に延在する横断部分（橋絡部）１３に、更に後で詳述されるように、差込み部材３がキチンと差込まれた際、確保部材１０の完全な嵌込み位置で、および差込み部材３のキチンと差込まれた配置で、戻止め係合リング２に（背部で）噛合う戻止め保持部分１４が形成される。更には図１から、差込み側８の方向において差込み部材３の反差込み方向に向かって半径方向外方へ上昇する取外し走行斜面部１６を有し、受入れ空間７へ突出する予備確保機構の突起部１５が確保部材１０に形成されるということが解る。
【００１０】
図２は、図１に係る実施態様を部分切断による斜視図で示し、これは、差込み部材３が本発明による継手へ差込まれ、取外し位置を経て受容される予備係合位置に確保部材１０を有する。差込み過程の間で、戻止め係合リング２が差込み方向に向かって半径方向内側へ縮径して延びる取外し走行斜面部１６へ当接し、戻止め係合リング２が突起部１５を通過して、確保部材１０が予備係合位置に位置するまで、確保部材１０は差込み方向に対し直角に半径方向外側へ向かって取外し位置へ移動するということによって、予備係合位置へ到達する。更には図２から、突起部１５は、取外し走行斜面部１６に対向し差込み部材３の差込み方向で見て裏側の面に、差込み方向に対し半径方向外側へ上昇する嵌込み走行斜面部１７を備えるということが解る。
【００１１】
図３は、図２に係る配置における図１に係る実施態様を、予備確保機構の突起部１５の領域での断面図で示し、差込み方向に関し受入れ空間７の後部分を見た図である。図３から、突起部１５は予備係合位置で戻止め係合リング２に背部から係合し（噛合い）、それによって差込み部材３が予備係合位置で受容部材１から不測に脱落することに対して安全確保するということが解る。
【００１２】
更に図３からはまた、アーム１１、１２の半径方向外側には、各々戻り走行機構の戻り走行斜面部１８、１９および係合段付（ノッチ付）突起部２０、２１が備えられ、これは、一方で、予備係合位置から取外し位置へ確保部材１０が移動されるために作用する取出し力に反作用する力の発生によって、そして他方で、予備係合位置から嵌込み位置へ確保部材１０が移動されるために半径方向内側へ作用する力に反作用して、予備係合位置で確保部材１０を保持するために、受容部材１のアームに形成され、関連する戻り走行斜面部１８、１９に対向する戻り走行機構の対向斜面２２、２３と、あるいは受容部材１に形成された係合突起部２４、２５と協同作用するということが明らかである。
【００１３】
各アーム１１、１２には更に、図３で詳述された予備係合位置で受容部材１に形成された安全確保段部２８、２９からある一定の間隔に配置され、かつ半径方向外側へ突出する安全フック２６、２７が形成される。確保部材１０が完全に取外し位置にあるとき、安全フック（ノーズ）２６、２７は安全確保段部２８、２９に当接係合し、受容部材１から確保部材１０を意図的に取外すために、アーム１１、１２に半径方向内側へ力が作用されない限り、差込み部材３を取出す際に確保部材１０が受容部材１から外れることを阻止する。
【００１４】
図４は、図１に係る実施態様を部分切開による斜視図で示し、これは、本発明による継手（カップリング）と差込み部材３とを密着（シール）して連結するために、受容部材１へキチンと差込まれた差込み部材３と嵌込み位置にある確保部材１０とを有する。予備係合位置から嵌込み位置へ確保部材１０が移動される際、図４では表示されない嵌込み走行斜面部１７の戻止め係合リング２への作用によって、戻止め保持部分１４が戻止め係合リング２の背部に噛合うまで、差込み部材３は差込み方向受入れ空間７へ押込まれる。
【００１５】
図５は、図４に係る配置における図１に係る実施態様を、断面図で示す。図５から、確保部材１０に形成された係合段付突起部２０、２１は、図３での配置状態に対比して、確保部材１０の導入方向で、係合突起部２４、２５の他の側（図中、下側）に位置しており、嵌込み位置から予備係合位置へ確保部材１０が不測に移動されることに対して安全確保するということが明確である。
【図面の簡単な説明】
【００１６】
以下、本発明を図を用いて詳細に説明する。図において、
【図１】は、受容部材と、嵌込み位置にある確保部材とを具備する本発明による継手の一実施態様および本発明による継手へ差込まれる差込み部材の部分切開による斜視図、
【図２】は、本発明による継手へ差込まれ予備係合位置において確保部材を備えた差込み部材を具備する図１に係る実施態様の部分切開による斜視図、
【図３】は、図２に係る配置における図１に係る実施態様の予備確保機構の領域での断面図、
【図４】は、受容部材へ差込んだ差込み部材と嵌込み位置にある確保部材とを備えた図１に係る実施態様の部分切開による斜視図、および
【図５】は、図４に係る配置における図１に係る実施態様の断面図を示す。
【符号の説明】
【００１７】
１      受容部材
２      戻止め係合リング（Rueckhaltering）
３      差込み部材
４      シールリング
５      シールリング
６      中間リング
７      受入れ空間
８      差込み側
９      スペースリング
１０    確保部材（Sicherungsteil）
１１    第一アーム
１２    第二アーム
１３    直交部分
１４    戻止め保持部分（Rueckhalteabschnitt）
１５    突起部
１６    取外し走行斜面部（Ausfahrschraege）
１７    嵌込み走行斜面部
１８    戻り走行斜面部
１９    戻り走行斜面部
２０    係合段付（ノッチ付）突起部（Raststufenvorsprung）
２１    係合段付（ノッチ付）突起部（Raststufenvorsprung）
２２    対向斜面
２３    対向斜面
２４    係合突起部
２５    係合突起部
２６    安全フック（ノーズ）
２７    安全フック（ノーズ）
２８    安全確保段部
２９    安全確保段部
【図１】
2008509360.tif 000003
【図２】
2008509360.tif 000004
【図３】
2008509360.tif 000005
【図４】
2008509360.tif 000006
【図５】
2008509360.tif 000007
【国際調査報告】
2008509360.tif 000008
2008509360.tif 000009
2008509360.tif 000010
2008509360.tif 000011